(57)【要約】【課題】ヒーターの取り付け及び取り外しの作業が短時間で簡単に行えるグリル装置の提供。【解決手段】誘導加熱調理器１の本体部１１に収納されたグリルケース２１と、グリルケース２１の内部に設置したヒーター３１，３２と、グリルケース２１の後方側部に配置した後収納部５０とを備え、グリルケース２１内に設置したヒーター３１，３２の端子部３１ａ，３２ａが後収納部５０に突出しており、後収納部５０内で配線５１，５２の端子部５１ａ，５２ａに接続されているグリル装置２０であって、グリルケース２１を本体部１１に取り付けたままの状態で、後収納部５０の上部を覆う中板５５を取り外すことで、ヒーター３１，３２の端子部３１ａ，３２ａと配線５１，５２の端子部５１ａ，５２ａとの接続箇所の着脱が行え、グリルケース２１に対するヒーター３１，３２の取り付け及び取り外しが行えるようにした。【選択図】図２
2010207337.tif 000002
【特許請求の範囲】
【請求項１】
調理器の本体部内に収納されたグリルケースと、該グリルケースの内部に設置したヒー
ターと、前記本体部内における前記グリルケースの側部に配置した収納部と、を備え、前
記グリルケース内に設置した前記ヒーターの端子部が前記収納部側に突出しており、該収
納部内で配線の端子部に接続されている調理器のグリル装置であって、
前記グリルケースを調理器の前記本体部に取り付けた状態で、前記収納部を開いて前記
ヒーターの端子部と前記配線の端子部との接続箇所の着脱が行えると共に、前記グリルケ
ースに対する前記ヒーターの取り付け及び取り外しが行えるように構成した
ことを特徴とする調理器のグリル装置。
【請求項２】
前記調理器の本体部には、前記グリルケース及び前記収納部の上部を覆う覆い部材が設
けられており、
前記本体部から前記覆い部材を取り外すことで、前記収納部が開かれて、該収納部内に
配置した前記ヒーターの端子部と前記配線の端子部との接続箇所へのアクセスが可能とな
る
ことを特徴とする請求項１に記載の調理器のグリル装置。
【請求項３】
前記グリルケース内には、前記ヒーターを支持するためのヒーター支持機構が設けられ
ており、
前記ヒーター支持機構は、線状でループ型に形成された前記ヒーターの断面を両側から
それぞれ係合支持するための一対の支持具を有しており、
前記一対の支持具は、互いに外側を向く横向き略Ｕ字型の係合部を備えており、
前記一対の支持具のうち、一方の支持具が有する前記係合部の開口端は、上向きに開口
しており、他方の支持具が有する前記係合部の開口端は、下向きに開口している
ことを特徴とする請求項１又は２に記載の調理器のグリル装置。
【発明の詳細な説明】
【技術分野】
【０００１】
本発明は、システムキッチンに組み込んで使用する誘導加熱調理器などの各種調理器に
内蔵して好適な調理器のグリル装置に関する。
【背景技術】
【０００２】
従来、例えば特許文献１に示すように、調理容器を載置する天板と、該天板の下方に配
置した調理容器を加熱する誘導加熱コイルとを備えてなる誘導加熱調理器（いわゆるＩＨ
クッキングヒーター）がある。この種の誘導加熱調理器は、ガスを使わずに大きな火力で
揚げ物や煮物あるいは焼き物などの調理が行えるため、近年、各家庭において広く普及し
ている。
【０００３】
上記のような誘導加熱調理器をはじめとする各種調理器は、魚焼きなどの調理を行うた
めのグリル装置を内蔵している。グリル装置には、魚などの調理食材を加熱するための熱
源となるシーズヒーター（以下、単に「ヒーター」ということがある。）が設置されてい
る。シーズヒーターは、ループ型に形成されてグリルケース内に設置されており、その両
端がグリルケースの背板に固定されている。
【先行技術文献】
【特許文献】
【０００４】
【特許文献１】特開２００３−１９００２４号公報
【発明の概要】
【発明が解決しようとする課題】
【０００５】
ところで、上記のようなグリルケース内に設置したシーズヒーターは、グリル装置の長
年の使用により、魚などの調理食材から出た汁気や蒸気がパイプに付着することで、腐食
などの不具合が発生することがある。このような場合、シーズヒーターの交換作業が必要
となる。また、シーズヒーターが故障した場合にも交換作業が必要となる。
【０００６】
ところが、従来の調理器では、グリル装置に内蔵されたヒーターを交換するには、調理
器の天板を外し、その下の誘導加熱コイルなどの器具を取り外し、さらに誘導加熱コイル
などの器具を載置している中板を取り外すことで、グリル装置の上方を開いた後、グリル
装置の全体を上方へ引き出して調理器の本体部から取り出す必要があった。このようにグ
リル装置の全体を取り出すことで、はじめてヒーターの交換が行えるような構造であった
。つまり、従来のグリル装置では、調理器の本体からグリル装置を取り外さなければヒー
ターの取り付け及び取り外しが行えなかった。したがって、ヒーターの交換作業を伴うメ
ンテナンスの際、ヒーターの取り付け及び取り外しに手間と時間がかかるという問題があ
った。
【０００７】
本発明は上述の点に鑑みてなされたものであり、その目的は、ヒーターの取り付け及び
取り外しの作業が短時間で簡単に行えるようになり、調理器のメンテナンス性が向上する
グリル装置を提供することにある。
【課題を解決するための手段】
【０００８】
上記課題を解決するための本発明は、調理器（１）の本体部（１１）に収納されたグリ
ルケース（２１）と、該グリルケース（２１）の内部に設置したヒーター（３１，３２）
と、本体部（１１）内におけるグリルケース（２１）の側部に配置した収納部（５０）と
を備え、グリルケース（２１）内に設置したヒーター（３１，３２）の端子部（３１ａ，
３２ａ）が収納部（５０）側に突出しており、該収納部（５０）内で配線（５１，５２）
の端子部（５１ａ，５２ａ）に接続されている調理器のグリル装置（２０）であって、グ
リルケース（２１）を調理器（１）の本体部（１１）に取り付けた状態で、収納部（５０
）を開いてヒーター（３１，３２）の端子部（３１ａ，３２ａ）と配線（５１，５２）の
端子部（５１ａｓ，５２ａ）との接続箇所の着脱が行えると共に、グリルケース（２１）
に対するヒーター（３１，３２）の取り付け及び取り外しが行えるように構成したことを
特徴とする。
【０００９】
本発明にかかる調理器のグリル装置によれば、グリルケースを調理器の本体部に取り付
けた状態で、収納部を開くことが可能であり、ヒーターの端子部と配線の端子部との接続
箇所の着脱を伴うヒーターの取り付け及び取り外しが行えるように構成したので、調理器
の本体部からグリルケースを取り外さなくても、ヒーターの取り付け及び取り外しが行え
るようになる。したがって、ヒーターの腐食などによる交換作業の際、ヒーターの取り付
け及び取り外しを短時間で効率良く行えるようになるので、調理器のメンテナンス性が向
上する。
【００１０】
また、上記の調理器のグリル装置の一実施態様として、調理器（１）の本体部（１１）
には、グリルケース（２１）及び収納部（５０）の上部を覆う覆い部材（１２，５５）が
設けられており、本体部（１１）から覆い部材（１２，５５）を取り外すことで、収納部
（５０）が開かれて、該収納部（５０）内に配置したヒーター（３１，３２）の端子部（
３１ａ，３２ａ）と配線（５１，５２）の端子部（５１ａ，５２ａ）との接続箇所へのア
クセスが可能となるようにするとよい。ここでいうグリルケース及び収納部の上部を覆う
覆い部材とは、一例として、調理器（１）の本体部（１１）の上部を覆う天板（１２）や
、該天板（１２）の下側に配置した誘導加熱コイル（１３）を上面に配設した板状の部材
（５５）などである。これら天板や板状の部材を調理器の本体部から取り外せば、グリル
ケースを取り外すことなくヒーターの着脱が行えるようになるので、ヒーターの交換作業
が短時間で簡単に行えるようになる。
【００１１】
また、上記の調理器のグリル装置では、グリルケース（２１）内には、ヒーター（３１
，３２）を支持するためのヒーター支持機構（４０）が設けられており、ヒーター支持機
構（４０）は、線状でループ型に形成されたヒーター（３１，３２）の断面を両側からそ
れぞれ係合支持するための一対の支持具（４１，４２又は４３，４４）を有しており、一
対の支持具（４１，４２又は４３，４４）は、互いに外側を向く横向き略Ｕ字型の係合部
（４１ａ，４２ａ又は４３ａ，４４ａ）を備えており、当該一対の支持具（４１，４２又
は４３，４４）のうち、一方の支持具（４１又は４３）が有する係合部（４１ａ，４３ａ
）の開口端（４１ｂ，４３ｂ）は、上向きに開口しており、他方の支持具（４２又は４４
）が有する係合部（４２ａ，４４ａ）の開口端（４２ｂ，４４ｂ）は、下向きに開口して
いるようにするとよい。これによれば、グリルケース内に設置したヒーターを取り外す際
、一対の支持具のうち開口端が上向きに開口した一方の支持具を取り外せば、ヒーターの
固定が緩むことで、他方の支持具に設けた下向きに開口する開口端からヒーターが下方に
落下して外れるようになる。したがって、グリルケースからのヒーターの取り外しが非常
に簡単に行えるようになる。
なお、上記の括弧内の符号は、後述する実施形態における構成要素の符号を本発明の一
例として示したものである。
【発明の効果】
【００１２】
本発明にかかる調理器のグリル装置によれば、グリルケース内に設置したヒーターの取
り付け及び取り外しが短時間で簡単に行えるようになり、調理器のメンテナンス性が向上
する。
【図面の簡単な説明】
【００１３】
【図１】本発明の一実施形態にかかる誘導加熱調理器の全体構成を示す斜視図である。
【図２】図１のＡ−Ａ部分の矢視断面図である。
【図３】グリル装置の構成を示す分解斜視図である。
【図４】図３のＢ矢視を示す概略図である。
【発明を実施するための形態】
【００１４】
以下、添付図面を参照して本発明の実施形態を詳細に説明する。図１は、本発明の一実
施形態にかかるグリル装置２０を備えた誘導加熱調理器１の外観構成を示す斜視図である
。また、図２は、図１のＡ−Ａ部分の概略矢視断面図である。図１に示す誘導加熱調理器
１は、システムキッチンなどにドロップイン方式で組み込まれて設置される調理器であり
、略矩形状の筐体に収納された本体部１１と、本体部１１の上面に装着された耐熱ガラス
を備えてなる天板１２と、本体部１１の内部における天板１２の下方に設置された熱源と
なる左右一対の誘導加熱コイル１３，１４と、それらの中央奥側に配置されたラジエント
ヒーター１５とを備えている。なお、以下の説明で左右あるいは横方向というときは、誘
導加熱調理器１の本体部１１を手前側から見た場合の左右及び横方向を示すものとする。
【００１５】
誘導加熱コイル１３，１４は、略円盤状の外形を有しており、天板１２の手前側の左右
にそれぞれ１個ずつ配置されている。また、天板１２の外周を囲む天板枠１２ａの前端辺
には、操作窓１７が穿孔されており、操作窓１７内には、非接触式のタッチキーで構成さ
れた操作部１８が配置されている。操作部１８には、火力キー、湯沸しキー、揚げ物キー
などのタッチ領域が印刷により形成されている。また、天板枠１２ａの後端辺には、左右
一対の吸排気カバー１６，１６が着脱自在に装着されている。
【００１６】
本体部１１の前面１１ａにおける右側には、操作パネル１９が配置されている。操作パ
ネル１９には、シーソー式の電源スイッチ１９ａ、ランプ類１９ｂ、プッシュプッシュ式
の操作つまみ１９ｃなどが配設されている。操作つまみ１９ｃは、プッシュ操作により引
き出されることで、誘導加熱コイル１３，１４やラジエントヒーター１５や後述するグリ
ル装置２０の運転を開始できる一方、押し込まれることで、それらの運転が停止されるよ
うになっている。また、操作つまみ１９ｃを引き出し位置で回転操作することで、誘導加
熱コイル１３，１４やラジエントヒーター１５やグリル装置２０による火力や調理時間、
調理温度などの各種設定が行えるようになっている。
【００１７】
本体部１１内の左側には、図２に示すように、略矩形の箱型に区画形成された魚焼き用
のグリル装置２０が設けられている。図３は、グリル装置２０の構成を示す分解斜視図で
あり、図４は、図３のＢ矢視を示す概略図である。なお、図３では、後述するヒーターユ
ニット３０とヒーター支持機構４０のみを概略的に図示している。図２及び図３に示すよ
うに、グリル装置２０は、略直方体状の箱型に形成されたグリルケース２１と、グリルケ
ース２１内に設置したヒーターユニット３０とを備えている。グリルケース２１は、上面
に上蓋２２が設置されており、前面に開口２３を有している。図１に示すように、開口２
３は、本体部１１の前面１１ａの左側に配置されている。開口２３には、手前側へ引き出
し可能に取り付けられた前扉（フロントパネル）１８が設置されている。図２に示すよう
に、前扉１８の奥側には、受皿２５が一体に取り付けられている。受皿２５の上には、網
棚２６が載置されている。前扉１８に取り付けた受皿２５及び網棚２６は、グリルケース
２１内に収納されており、前扉１８の開閉に伴いグリルケース２１に対して出し入れされ
るようになっている。
【００１８】
図２に示すように、本体部１１内におけるグリル装置２０の後方側部には、上部に開口
５０ａを有する略矩形状の凹部からなる後収納部５０が形成されている。後収納部５０に
は、グリル装置２０内の吸排気を行うためのダクト５３が設置されているとともに、電源
（図示せず）からの電気が供給される配線５１，５２が収容されている。配線５１，５２
は、一端が本体部１１内に設置した電源に繋がる電気部品（図示せず）に接続されており
、他端が後述する上ヒーター３１と下ヒーター３２に接続されている。本体部１１におけ
るグリル装置２０と後収納部５０の上方には、中板（覆い部材）５５が設置されている。
中板５５によってグリル装置２０の上部と後収納部５０の開口５０ａとが覆われている。
中板５５の上面側には、誘導加熱コイル１３やラジエントヒーター１５が配設されている
。
【００１９】
グリルケース２１内に設置したヒーターユニット３０は、上ヒーター３１と下ヒーター
３２の二本のヒーターを備えている。上ヒーター３１と下ヒーター３２は、いずれも同形
状で、平面内で左右に繰り返し湾曲する曲線からなるループ状に形成されたシーズヒータ
ーである。シーズヒーターは、金属パイプの中心に発熱コイルを挿入してなる加熱エレメ
ントである。上ヒーター３１と下ヒーター３２は、グリルケース２１内において所定間隔
で上下に並べて配置されている。したがって、図２に示すように、前扉１８で開口２３を
閉じた状態で、受皿２５に載置した網棚２６が下ヒーター３２と上ヒーター３１の隙間に
配置される。これにより、網棚２６に載せた魚などの食材（図示せず）の上下両面が下ヒ
ーター３２と上ヒーター３１で同時に加熱されるようになっている。
【００２０】
図３に示すように、上ヒーター３１及び下ヒーター３２は、それらの両端がグリルケー
ス２１の後端側に配置されている。上ヒーター３１及び下ヒーター３２の両端は、ヒータ
ー取付板３３を介してグリルケース２１の背板２１ｃに固定されている。ヒーター取付板
３３は、略矩形の平板状に形成されており、ネジ３４により背板２１ｃの内面に固定され
ている。ヒーター取付板３３の後面側には、それぞれ上ヒーター３１と下ヒーター３２の
両端に設けた端子部３１ａ，３２ａが突出している。そして、グリルケース２１の背板２
１ｃにおける端子部３１ａ，３２ａに対応する位置には、開口部２１ｄ，２１ｄが形成さ
れている。したがって、ヒーター取付板３３を背板２１ｃに固定した状態で、端子部３１
ａ，３２ａが開口部２１ｄ，２１ｄからグリルケース２１の後方に設けた後収納部５０に
突出するようになっている。
【００２１】
一方、図２に示すように、後収納部５０に設置した配線５１，５２の先端には、端子部
５１ａ，５２ａが設けられている。そして、後収納部５０に突出する上下ヒーター３１，
３２の端子部３１ａ，３２ａは、後収納部５０内で配線５１，５２の端子部５１ａ，５２
ａに接続固定されている。上下ヒーター３１，３２の端子部３１ａ，３２ａと配線５１，
５２の端子部５１ａ，５２ａとの接続固定は、ネジ６１，６２の締結によって行われてい
る。
【００２２】
一方、図３及び図４に示すように、グリルケース２１内の左側板２１ａの内面と右側板
２１ｂの内面には、ヒーターユニット３０を支持するためのヒーター支持機構４０が取り
付けられている。ヒーター支持機構４０は、上ヒーター３１の左端を支持する左上フック
４１と、上ヒーター３１の右端を支持する右上フック４２と、下ヒーター３２の左端を支
持する左下フック４３と、下ヒーター３２の右端を支持する右下フック４４との四個の支
持フック（支持具）４１〜４４を備えて構成されている。すなわち、上ヒーター３１と下
ヒーター３２からなるヒーターユニット３０は、ヒーター取付板３３の背板２１ｃへの固
定と、四個の支持フック４１〜４４による上ヒーター３１と下ヒーター３２の支持との両
方によって、グリルケース２１内に固定されている。
【００２３】
左下フック４３と左上フック４１は、上下に所定間隔を有した状態で一枚の支持板４５
に一体形成されている。支持板４５は、平板状の部材であり、ネジ４６によって左側板２
１ａの内面に固定されている。これにより、支持板４５からグリルケース２１の内部に向
かって左上フック４１と左下フック４３が横向きに突出している。一方、右上フック４２
と右下フック４４は互いに別の部品であり、上下に所定間隔を有した状態で、それぞれが
ネジ４８，４７により右側板２１ｂの内面に固定されている。これにより、右側板２１ｂ
の内面からグリルケース２１の内部に向かって右上フック４２と右下フック４４が横方向
に突出している。
【００２４】
図４に示すように、左下フック４３と左上フック４１及び右下フック４４と右上フック
４２はそれぞれ、互いに略同形状である。そして、左下フック４３と右下フック４４及び
左上フック４１と右上フック４２はそれぞれ、互いに左右及び上下が反転した対称形状（
点対称形状）である。具体的には、支持フック４１〜４４は、上ヒーター３１あるいは下
ヒーター３２の断面を係合保持するための係合部４１ａ〜４４ａと、該係合部４１ａ〜４
４ａに上ヒーター３１あるいは下ヒーター３２を挿入するための開口端４１ｂ〜４４ｂと
を有している。すなわち、支持フック４１〜４４は、横長の略長方形の平板状に形成され
ており、その長手方向の一端（先端）には、横向きの略Ｕ字型に形成された鉤状の係合部
４１ａ〜４４ａが設けられている。支持フック４１〜４４の長手方向に対する側辺には、
係合部４１ａ〜４４ａに連通する開口端４１ｂ〜４４ｂが形成されている。左下フック４
３と左上フック４１の開口端４３ｂ，４１ｂは、左下フック４３と左上フック４１の上側
の側辺に通じており、上側に向かって開かれている。一方、右下フック４４と右上フック
４２の開口端４４ｂ，４２ｂは、右下フック４４と右上フック４２の下側の側辺に通じて
おり、下側に向かって開かれている。上ヒーター３１は、左上フック４１と右上フック４
２とによって左右両側から支持されており、下ヒーター３２は、左下フック４３と右下フ
ック４４とによって左右両側から支持されている。
【００２５】
ここで、上記構成のグリル装置２０を備えた誘導加熱調理器１において、グリル装置２
０に内蔵したヒーターユニット３０を交換する手順について説明する。なお、ここでいう
ヒーターユニット３０の交換には、上ヒーター３１と下ヒーター３２のいずれかのみを交
換する場合も含まれる。ヒーターユニット３０を交換するには、あらかじめ、本体部１１
の前面１１ａから前扉１８を手前側に引き出すことで、グリルケース２１内に収容された
受皿２５及び網棚２６を取り出しておく。その状態で、誘導加熱調理器１の本体部１１か
ら天板１２を取り外す。天板１２の取り外しは、天板１２の後端を固定しているネジ（図
示せず）を取り外し、天板１２の手前端に設けた係合部１２ｄ（図２参照）を支点として
後端の上方へ回転させることで行う。本体部１１から天板１２を取り外したら、左側の誘
導加熱コイル１３とラジエントヒーター１５を取り外す。その後、グリルケース２１及び
後収納部５０の上部の開口５０ａを覆っている中板５５を取り外す。これにより、後収納
部５０の開口５０ａが開かれる。この状態で、後収納部５０内に配置された上下ヒーター
３１，３２の端子部３１ａ，３２ａと配線５１，５２の端子部５１ａ，５２ａとの締結箇
所へのアクセスが可能となるので、端子部３１ａ，３２ａと端子部５１ａ，５２ａとを締
結しているネジ６１，６２を取り外す。
【００２６】
次に、グリルケース２１内のヒーター取付板３３を固定しているネジ３４を取り外し、
背板２１ｃからヒーター取付板３３を取り外す。ヒーター取付板３３が背板２１ｃから取
り外されることで、上下ヒーター３１，３２の端子部３１ａ，３２ａが背板２１ｃの開口
部２１ｄ，２１ｄから手前側に引き出される。また、支持板４５を固定しているネジ４６
を取り外し、左側板２１ａから左下フック４３及び左上フック４１を取り外す。これによ
り、下ヒーター３２及び上ヒーター３１の固定が緩むことで、下ヒーター３２及び上ヒー
ター３１は、右下フック４４の開口端４４ｂ及び右上フック４２の開口端４２ｂから下方
へ落下して、係合部４４ａ，４２ａから外れる。これにより、右下フック４４及び右上フ
ック４２による上下ヒーター３１，３２の保持が解除されるので、グリルケース２１内で
のヒーターユニット３０の固定が解除される。こうして、ヒーターユニット３０をグリル
ケース２１の開口２３から取り出すことができる。なお、交換後の新しいヒーターユニッ
トは、上記の取り外し手順とは逆の手順でグリルケース２１内に設置することができる。
【００２７】
以上説明したように、本実施形態の誘導加熱調理器１が備えるグリル装置２０によれば
、グリルケース２１を誘導加熱調理器１の本体部１１に取り付けたままの状態で、誘導加
熱調理器１の本体部１１から天板１２や中板５５を取り外せば、後収納部５０を開いて上
下ヒーター３１，３２の端子部３１ａ，３２ａと配線５１，５２端子部５１ａ，５２ａと
の接続箇所の着脱が行えると共に、グリルケース２１に対するヒーターユニット３０の取
り付け及び取り外しが行える。したがって、誘導加熱調理器１の本体部１１からグリルケ
ース２１を取り外さなくても、ヒーターユニット３０の交換が行えるようになる。これに
より、上下ヒーター３１，３２の腐食などに伴う交換作業の際、ヒーターユニット３０の
取り付け及び取り外しを短時間で効率良く行えるようになるので、誘導加熱調理器１のメ
ンテナンス性が向上する。
【００２８】
また、本実施形態では、上ヒーター３１を固定している左右一対の支持フック４１，４
２、及び下ヒーター３２を固定している左右一対の支持フック４３，４４のうち、左側の
支持フック４１，４３が有する開口端４１ｂ，４３ｂを上向きに開口させ、右側の支持フ
ック４２，４４が有する開口端４２ｂ，４４ｂを下向きに開口させている。これにより、
グリルケース２１内に設置した上ヒーター３１及び下ヒーター３２を取り外す際、開口端
４１ｂ，４３ｂが上向きに開口した左側の支持フック４１，４３のみを取り外せば、上下
ヒーター３１，３２の固定が緩むことで、右側の支持フック４２，４４に設けた開口端４
２ｂ，４４ｂから上下ヒーター３１，３２が下方に落下して外れるようになる。したがっ
て、グリルケース２１からのヒーターユニット３０の取り外しが非常に簡単に行えるよう
になる。また、右側の支持フック４２，４４を取り付けたままで、ヒーターユニット３０
の取り外しが可能となる。また、左側の支持フック４１，４３は、一体に形成された一部
品であるので、ヒーターユニット３０の取り外しが簡単に行えるようになる。
【００２９】
なお、上記では、左側の支持フック４１，４３のみを支持板４５に一体形成した場合を
示したが、右側の支持フック４２，４４も一枚の支持板に一体形成してもよい。また、本
実施形態では、４個の支持フック４１〜４４は、左右側板２１ａ、２１ｂに対する取り付
けの向きを互いに異ならせているが、部品自体の形状は互いに共通である。したがって、
支持フック４１〜４４の部品の共通化が図れる。これにより、グリル装置２０に必要な部
品の種類を少なく抑えることができるので、誘導加熱調理器１の製造コストを低く抑える
ことが可能となる。
【００３０】
以上本発明の実施形態を説明したが、本発明は上記実施形態に限定されるものではなく
、特許請求の範囲、及び明細書と図面に記載された技術的思想の範囲内において種々の変
形が可能である。なお直接明細書及び図面に記載のない何れの形状・構造・材質であって
も、本願発明の作用・効果を奏する以上、本願発明の技術的思想の範囲内である。例えば
、上記実施形態に示すヒーターユニット３０が備える上下ヒーター３１，３２の設置数や
具体的な形状などは一例であり、本発明のグリル装置に設置するヒーターは、他の設置数
や形状であっても良い。また、グリルケース内でヒーターを支持する支持機構が備える支
持フック（支持具）の設置位置や個数も一例であり、他の設置位置や個数であってもよい
。
【符号の説明】
【００３１】
１            誘導加熱調理器（調理器）
１１          本体部
１２          天板（覆い部材）
１３，１４    誘導加熱コイル
１５          ラジエントヒーター
１８          前扉（フロントパネル）
２０          グリル装置
２１          グリルケース
２１ｃ        背板
２３          開口
３０          ヒーターユニット
３１          上ヒーター
３２          下ヒーター
３１ａ，３２ａ  端子部
３３          ヒーター取付板
４０          ヒーター支持機構
４１〜４４    支持フック（支持具）
４１ａ〜４４ａ  係合部
４１ｂ〜４４ｂ  開口端
４５            支持板
５０            後収納部（収納部）
５０ａ          開口
５１，５２      配線
５１ａ，５２ａ  端子部
５５            中板（覆い部材）
【図１】
2010207337.tif 000003
【図２】
2010207337.tif 000004
【図３】
2010207337.tif 000005
【図４】
2010207337.tif 000006